(57)【特許請求の範囲】
【請求項１】
縦方向及び横方向と、前後方向とを有し、前記前後方向において対向する前後面を含み、その内部に複数の吸収性物品を収納した包装体において、
前記前後面のうちの少なくとも前面には前記吸収性物品を取り出すための開封部が形成されており、
前記吸収性物品は、少なくとも１つの折曲線によって折曲され、かつ、前記前後方向において整列された状態で収納されており、第１及び第２縁部と、前記第１及び第２縁部間に位置する折曲部と、前記第１縁部と前記折曲部との間に画定された第１区域と、前記折曲部と前記第２縁部との間に画定された第２区域とを有し、
前記吸収性物品の前記第１区域は前記前面側に位置し、前記折曲部と前記第２縁部との離間寸法は前記折曲部と前記第１縁部との離間寸法よりも大きく、
前記開封部は、前記第１縁部と交差して前記縦方向へ延びる第１ラインと、前記第１ラインと交差して前記横方向へ延びる第２ラインとを有し、
前記第１ラインの一方の端縁が、前記第１縁部と前記第２縁部との間に位置していることを特徴とする前記包装体。
【請求項２】
前記第１及び第２ラインは、１条のラインである請求項１に記載の包装体。
【請求項３】
前記第２ラインは、前記第１区域の側部と交差する請求項１又は２に記載の包装体。
【請求項４】
前記開封部は、複数の開孔から形成されたミシン目である請求項１〜３のいずれかに記載の包装体。
【請求項５】
前記吸収性物品の前記第１及び第２区域の少なくとも一方の外面には、止着部が形成されている請求項１〜４のいずれかに記載の包装体。
【請求項６】
複数の前記吸収性物品を整列して形成された吸収性物品群を前記縦方向及び前記横方向の少なくとも一方に複数配置された請求項１〜５のいずれかに記載の包装体。
【請求項７】
前記吸収性物品は、パンツ型の使い捨ておむつであって、前記第１区域はウエスト域を含み、前記第２区域はクロッチ域を含む請求項１〜６のいずれかに記載の包装体。
【請求項８】
前記使い捨ておむつの前記第２区域の外面には、廃棄用テープが設けられており、前記止着部は前記廃棄用テープの一部に設けられている請求項５に記載の包装体。
【請求項９】
前記第２縁部は、前記折曲線によって折曲された折曲部位であって、前記第２縁部から前記前方又は前記後方に折り返された第３区域をさらに含む請求項１〜８のいずれかに記載の包装体。
【請求項１０】
前記吸収性物品は、開放型の使い捨ておむつであって、前記第１区域は前ウエスト域を含み、前記第２区域はクロッチ域を含み、前記第３区域は後ウエスト域を含む請求項９に記載の包装体。
【発明の詳細な説明】
【技術分野】
【０００１】
本発明は、複数の使い捨ておむつや生理用ナプキン等の吸収性物品を収納するための包装体、詳しくは、収納された吸収性物品を取り出すための開封部を有する包装体に関する。
【背景技術】
【０００２】
従来、複数の吸収性物品を収納するための包装体は公知である。例えば、特許文献１には、略直方体状の包装体の内部に、複数の吸収性物品が圧縮された状態で収納されており、側面には吸収性物品を取り出すための開封部が形成されている。
【先行技術文献】
【特許文献】
【０００３】
【特許文献１】特開平２−１０９８５８号公報（ＪＰ０２−１０９８５８Ａ）
【発明の概要】
【発明が解決しようとする課題】
【０００４】
特許文献１に開示された発明に係る包装体では、側面に開封部が形成されているので、開封部に沿って包装体の一部を破断させることによって吸収性物品を順次取り出すことができる。しかし、開封部が吸収性物品の収納状態における長さ寸法よりも大きな長さ寸法を有することから、開封部を破断したときに、吸収性物品の圧縮された状態における整列状態が崩れ、取り出し口から複数の吸収性物品が外部にはみ出るおそれがある。かかる場合には、包装体が略直方体状を維持することできず変形するので、持ち運び難くなり、また、包装体を吊持させた状態で保管する場合には、吸収性物品が包装体から落下するおそれがある。一方、かかる事態を避けるために、取り出し口を比較的に小さくした場合には、包装体の中から吸収性物品を取り出し難くなる。また、吸収性物品が取り出し口からはみ出るのを防止するために、吸収性物品にかかる圧縮力を比較的に低く抑えて包装体内に収納する場合には、収納される吸収性物品の数が少なくなるので、包装体の収納効率が低下する。
【０００５】
本発明の課題は、従来の包装体の改良であり、吸収性物品の取り出しが比較的に容易であって、かつ、収納効率にも優れた包装体の提供に関する。
【課題を解決するための手段】
【０００６】
前記課題を解決するための本発明は、縦方向及び横方向と、前後方向とを有し、前記前後方向において対向する前後面を含み、その内部に複数の吸収性物品を収納した包装体を対象とする。
【０００７】
本発明に係る包装体は、前記前後面のうちの少なくとも前面には前記吸収性物品を取り出すための開封部が形成されており、前記吸収性物品は、少なくとも１つの折曲線によって折曲され、かつ、前記前後方向において整列された状態で収納されており、第１及び第２縁部と、前記第１及び第２縁部間に位置する折曲部と、前記第１縁部と前記折曲部との間に画定された第１区域と、前記折曲部と前記第２縁部との間に画定された第２区域とを有し、前記吸収性物品の前記第１区域は前記前面側に位置し、前記折曲部と前記第２縁部との離間寸法は前記折曲部と前記第１縁部との離間寸法よりも大きく、前記開封部は、前記第１縁部と交差して前記縦方向へ延びる第１ラインと、前記第１ラインと交差して前記横方向へ延びる第２ラインとを有し、前記第１ラインの一方の端縁が、前記第１縁部と前記第２縁部との間に位置していることを特徴とする。
【発明の効果】
【０００９】
本発明の特にそのひとつ以上の実施態様によれば、開封部が第１区域の第１縁部と交差し、かつ、その端縁が第１縁部と第２縁部との間に位置しているので、開封部を切り離して第１縁部を摘持することによって吸収性物品を容易に引っ張り出すことができる。また、収納された状態において、取り出し口に近い吸収性物品の大部分や複数の吸収性物品が取り出し口から外部にはみ出ることはないので、吸収性物品が汚れたり傷んだりするおそれはなく、また、許容限度まで圧縮して吸収性物品を収納したとしても、開封時に整列状態を維持することができる。
【図面の簡単な説明】
【００１０】
【図１】第１発明における包装体の斜視図。
【図２】包装体の内部を示す図１と同様の斜視図。
【図３】（ａ）収納状態のおむつの平面図、（ｂ）おむつの腹側の平面図、（ｃ）おむつの背面側の平面図。
【図４】おむつの展開図。
【図５】包装体の模式的前面図。
【図６】取り出し口からおむつを取り出すときの模式的前面図。
【図７】包装体の実施形態の一例を示す図５と同様の模式的前面図。
【図８】（ａ）包装体の他の実施形態に係る図５と同様の模式的前面図、（ｂ）包装体の他の実施形態に係る図５と同様の模式的前面図。
【図９】（ａ）包装体の他の実施形態における斜視図、（ｂ）包装体の他の実施形態における斜視図。
【図１０】（ａ）包装体の他の実施形態に係る収納状態におけるおむつの背面図，（ｂ）おむつを包装体から取り出すときの包装体内の一部を示す図。
【図１１】（ａ）包装体の他の実施形態に係るおむつの展開図、（ｂ）包装体１０の他の実施形態に係る図５と同様の模式的前面図。
【図１２】取り出し口からおむつを取り出す様子を示す図。
【図１３】第２発明における包装体の模式的前面図。
【発明を実施するための形態】
【００１１】
＜第１発明＞
図１及び２に示すとおり、包装体１０は、包装袋１０ａとその内部に収納された吸収性物品の一例としての使い捨ておむつ１１とを含む。包装体１０は、縦方向Ｙ及び横方向Ｘと、それらに直交する前後方向Ｚとを有する略直方体状であって、前面１２と後面１３と、一対の側面１４，１５と、天面１６及び底面１７とを含む。なお、後記のとおり、包装体１０は可撓性を有するプラスチックフィルムから作られた包装袋１０ａからその外形が形成されているので、各面１２，１３，１４，１５，１６，１７は、水平な面だけではなく、その一部に凹凸を有する面を意味する。
【００１２】
本実施形態においては、図２及び３において仮想線で示すとおり、複数のおむつ１１がそれぞれ２つ折りにされ、それらが包装体１０の内部に前後方向Ｚに整列された状態で収納されており、おむつ群２０を形成している。前面１２には、包装体１０内に収納されたおむつ１１を取り出すための開封部１８が形成されている。開封部１８に囲まれた領域には、包装体１０から分離可能な分離部１９が画定されている。なお、開封部１８は後面１３に形成されていてもよく、前後面１２，１３のうちの少なくとも一方における後記の所定の位置に形成されていればよい。なお、本明細書において、おむつ１１が「前後方向Ｚに整列された状態」
とは、第１区域４１が前面１２側に位置した状態で２つ折りにされた複数のおむつ１１が前後方向Ｚにおいて互いに重ねられて収納された状態を意味し、おむつ１１の第１区域４１の第１縁部３６が横方向Ｘに延びるように配置された態様（図２参照）や、それが縦方向Ｙに延びるように配置された態様（図８参照）等を含むものである。また、各図において、おむつ１１が包装体１０に収納された状態を示しているが、これらの図は包装体１０内を模式的に表すものであって、おむつ１１は圧縮された状態で包装体１０に収納されているので、実際の実施形態では包装体１０内に隙間はほとんど形成されていないものと理解されたい。
【００１３】
包装体１０を形成する包装袋１０ａは、ポリエチレン、ポリプロピレン、ＰＥＴなどの可撓性を有するプラスチックフィルムから形成されており、その厚さについては、特に制限はないが、例えば、厚さが約５０〜８０μｍのものを用いることができる。包装体１０は、１枚のプラスチックフィルムからなる包装袋１０ａを折り畳んで略直方体状に組立てることによって形成されており、前面１２と後面１３とには、包装袋１０ａの端縁どうしを接合してなるシール部２２が縦方向Ｙへ延びており、前後面１２，１３の上端には折り畳み部２５が形成されている。また、天面１６の外周縁にはそれを取り囲むように上方へ突出するリブ２３が形成されており、両側面１４，１５側のリブ２３には、一対の紐状の手提げ部２４が取り付けられている。なお、図示していないが、前後面のシール部２２と同様のシール部２２が、底面１７にも形成されている。
【００１４】
包装体１０は、袋状の包装プラスチックフィルムに、その開口からおむつ群２０を圧縮状態で封入させることによって形成することもでき、その場合には、開口を封止するときに形成される折り畳み部のシール間に吊持用のスリットを設けることによって、手提げ部２４を形成することもできる。また、本実施形態では、説明の便宜上、おむつ群２０が整列している方向を前後方向Ｚとしているが、包装体１０の販売時には、シール部２２の形成されていない側面１４，１５を商品の商標やデザインが施される正面（前面）とすることもできる。
【００１５】
包装体１０は、搬送及び保管に適したコンパクトな大きさを有するものであって、具体的には、縦方向Ｙにおける寸法Ｈ１は、約１８０〜２４０ｍｍ、前後方向Ｚにおける寸法Ｗ１は、約１８０〜３００ｍｍ、横方向Ｘにおける寸法Ｌ１は、約１７０〜２４０ｍｍである（図１参照）。前後方向Ｚにおける寸法Ｗ１が相対的に大き過ぎると、包装体１０の後面１３側に収納されているおむつ１１を取り出し難くなるおそれがあるところ、前記範囲の大きさであれば、包装体１０内に収納されているおむつ１１が少なくなった場合であっても、おむつ１１を包装体１０からスムーズに取り出すことができる。ただし、これらの包装体１０の各寸法は一例であって、収納される吸収性物品の個数や大きさに合せて適宜変更することができる。なお、包装体１０は、例えば、開封部１８が形成された前面１２を下側にして吊り下げて、開封部１８からおむつ１１を１つずつ取り出すこともできる。
【００１６】
開封部１８は、シール部２２と並行してＹへ延びる長細状であって、上方へ凸曲した上端縁１８ａと、下方へ凸曲した下端縁１８ｂと、上下端縁１８ａ，１８ｂ間において縦方向Ｙへ延びる両側縁１８ｃ，１８ｄとによって画定されている。開封部１８は、複数の開孔２７から形成されたミシン目であって、隣り合う各開孔２７間の離間寸法（ピッチ）は約１．０〜７．０ｍｍである。なお、開封部１８は、包装袋１０ａの一部を切離可能な限りにおいて、熱加工を施した部位などから形成してもよい。
【００１７】
図３及び４に示すとおり、おむつ１１は、展開状態における縦中心線Ｐとそれに直交する横中心線Ｑとを有し、前後ウエスト域３１，３２と、前後ウエスト域３１，３２間に位置するクロッチ域３３とを有し、前後ウエスト域３１，３２の両側縁どうしが接合された、いわゆるパンツ型のおむつである。また、おむつ１１は、前ウエスト域３１が位置する腹側Ｆと、後ウエスト域３２が位置する背面側Ｂと、第１縁部（着用状態における上端部）３６と、第２縁部（着用状態における下端部）３７とを有する。おむつ１１は、前後ウエスト域３１，３２から形成された第１区域４１と、クロッチ域３３から形成された第２区域４２とが互いに重なるように２つ折りにされた状態で包装体１０内に収納されている。具体的には、図３（ｂ）に示すように、レッグ開口縁の上端近傍間において横方向Ｘへ延びる折曲線４３に沿って第１区域４１の腹側Ｆが第２区域４２の腹側Ｆと当接するように２つ折りにされている。また、図３（ｃ）に示すとおり、おむつ１１の第２区域４２の背面側Ｆには、おむつ１１を丸めて廃棄するときに使用するための廃棄用テープ４５が折り畳まれた状態で取り付けられている。
【００１８】
おむつ１１は、折曲線４３に沿って２つ折りにされることによって、折曲部４６が形成されており、第２区域４２の縦方向Ｙおける寸法は第１区域４１のそれよりも大きく、おむつ１１の収納状態において第２縁部３７は第１縁部３６よりも縦方向Ｙの上方に位置している。収納された状態におけるおむつ１１の各寸法について具体的に言えば、第２区域４２の縦方向Ｙにおける寸法（折曲部４６と第２縁部３７との離間寸法）Ｈ２は約１８０〜２４０ｍｍ、第２縁部３７の横方向Ｘにおける寸法Ｌ２は約８０〜１８０ｍｍ、第１区域４１の縦方向Ｙにおける寸法Ｈ３（折曲部４６と第１縁部３６との離間寸法）は約１２０〜１８０ｍｍ、第１縁部３６の横方向Ｘにおける寸法Ｌ３は約１００〜２００ｍｍ、折曲部４６の横方向Ｘにおける寸法Ｗ２は、約１８０〜２２０ｍｍである。また、おむつ群２０において各おむつ１１は、第１区域４１が前面１２側となるように前後方向Ｚにおいて整列されている。なお、おむつ１１は、折曲線４３によって第１区域４１と第２区域４２とに区分されているが、包装体１０に収納される吸収性物品として、例えば、比較的に大きな矩形の吸収パッド等を用いた場合には、複数の折曲線４３によって複数の区域に区分されていてもよく、また、折曲された画定される各区域の大きさは、吸収性物品の大きさに応じて適宜変更されるものである。
【００１９】
図４に示すとおり、おむつ１１は、おむつ１１の外形をなす弾性パネル５１と、その内面に固定された吸収性シャーシ５２とを含む。弾性パネル５１は、内面（肌対向面）側に位置する繊維不織布から形成された表面シート５３と、裏面（非肌対向面）側に位置する繊維不織布又はプラスチックフィルム、それらのラミネートシートなどから形成された外面シート５４とを有する。表面シート５３と裏面シート５４との間には、前ウエスト域３１の前側縁間において横中心線Ｑの方向へ延びる複数条の前ウエスト弾性体５５と、後ウエスト域３２の後側縁間において横中心線Ｑの方向へ延びる複数条の後ウエスト弾性体５６と、レッグ開口縁に沿って湾曲状に延びる複数条のレッグ弾性体５７とが配設されている。前ウエスト弾性体５５は、前端縁側に位置する上方前ウエスト弾性体５５Ａと下方前ウエスト弾性体５５Ｂとを有し、後ウエスト弾性体５６は、後端縁側に位置する上方後ウエスト弾性体５６Ａと下方後ウエスト弾性体５６Ｂとを有する。上方前後ウエスト弾性体５５Ａ，５６Ａは、それぞれ、下方前後ウエスト弾性体５５Ｂ，５６Ｂに比べて密に配設されている。したがって、前後ウエスト域３１，３２のウエスト開口縁部は、他領域に比して高い収縮力が付与されるから、パンツ型の状態において、第１区域４１は略先細状を呈している。
【００２０】
なお、前後ウエスト域３１，３２が伸縮性を有する繊維不織布から形成されている場合には、前後ウエスト弾性体５５，５６は、上方前後ウエスト弾性体５５Ａ，５６Ａのみから形成されていてもよい。また、各図において、おむつ１１の前後ウエスト弾性体５５，５６のうち、上方前上ウエスト弾性体５５Ａと上方後ウエスト弾性体５６Ａとのみを説明の便宜上、一点鎖線または仮想線で示している。
【００２１】
吸収性シャーシ５２は、肌対向面側に位置する透液性の繊維不織布から形成された内面シート５８と、非肌対向面側に位置して弾性パネルに固定された不透液性の外面シート５９と、内外面シートとの間に介在された吸収性コア６０とを含む。外面シート５９はその両側部が内方へ折り返されてスリーブが形成されており、該スリーブ内にはカフ弾性体６１が伸縮可能に取り付けられている。
【００２２】
吸収性コア６０は、フラッフパルプと超吸収性ポリマー粒子等との混合から形成された吸液性芯材をティッシュ等の液拡散性シートで被包したものであって、両側縁が内方へ凹曲した括れ形状を有している。吸収性コア６０は、所要の弾性反発力を有しており、おむつ１１がそれぞれ２つ折りにされた状態で、かつ、互いに重ねられて前後方向Ｚに圧縮されて整列した状態で包装体１０内に収納されていることから、各おむつ１１の吸収性コア６０の弾性反発力が前後方向Ｚにおいて発揮され、包装体１０の前後面１２，１３の内面には、おむつ１１を圧縮したときの反発力と相俟ってそれを前後方向Ｚの外方へ押しやろうとする力（後記の内圧力）が作用している。
【００２３】
図５は、包装体１０の内部を示す模式的前面図、図６は、開封部１８からおむつ１１を取り出すときの模式的前面図である。図５及び６において、説明の便宜上、包装体１０内のおむつ１１は仮想線で示している。
【００２４】
図５に示すとおり、分離部１９は、その開封部１８の上端縁１８ａの下方に位置する上端部１９ａを指で押して又は指で摘んで上端縁１８ａとその近傍の両側縁１８ｃ，１８ｄの一部とを切り離し、そのまま下方に引っ張って開封部１８全体を切り離すことによって、包装体１０の本体から分離することができる。分離部１９を包装体１０の本体から切り離すことによって、取り出し口６３が形成される。
【００２５】
また、開封部１８は、第１区域４１の第１縁部３６と交差している。すなわち、開封部１８の上端縁１８ａは収納されたおむつ１１の第１区域４１の第１縁部３６よりも上方に位置しており、取り出し口６３の上端において第１区域４１の第１縁部３６の一部が露出している。通常、包装体から吸収性物品を取り出すときに、その一部が露出していたとしても、それを摘んで吸収性物品全体を取り出すことは困難であり、無理に引っ張り出そうとすると、開封部の一部が裂けて取り出し口６３が大きくなり、保管時に包装体内の吸収性物品の一部が取り出し口から外部にはみ出て包装体の形状が大きく崩れるおそれがある。一方、予め取り出し口を比較的に大きく形成する場合には、圧縮状態で収納された吸収性物品の一部が内圧力によって取り出し口から外部にはみ出るおそれがあり、かかる不利益を防止するために、収納される吸収性物品の個数を制限して、包装袋内の内圧力を調整する必要がある。
【００２６】
ここで、開封部１８が第１区域４１の第１縁部３６と交差するとは、図５に示すとおり、開封部１８の上端縁１８ａが第１縁部３６よりも上方に位置している態様のほかに、上端縁１８ａが第１縁部３６とほぼ同じ高さに位置している場合を含む。また、開封部１８は、第１縁部３６と斜めに交差してもよいし、第１縁部３６に対して複数形成されていてもよい。
【００２７】
本実施形態の包装体１０の場合には、図６に示すとおり、分離部１９を完全に包装体１０の本体から切り離した後、取り出し口６３から露出している第１区域４１の第１縁部３６に指を掛け、第１縁部３６を指で摘んだ状態のまま取り出し口６３から第１縁部３６の一部を包装体１０の外に引っ張り出して、かかる外部に引っ張り出された部分を掴んでさらに引っ張ることによって、おむつ１１全体を包装体１０から取り出すことができる。このように、取り出し口６３から第１区域４１の第１縁部３６が露出しているので、それに指を掛けることによっておむつ１１を容易に取り出すことができ、また、取り出し口６３が比較的に小さく、かつ、第１区域４１の第１縁部３６と交差して形成されているので、保管時においても、取り出し口６３に近いおむつ１１の大部分や複数のおむつ１１が外部にはみ出て汚れたり傷んだりするおそれはない。また、取り出し口６３に近いおむつ１１、すなわち、次に包装体１０から取り出されるべきおむつ１１については、第１縁部３６の一部を取り出し口６３から僅かにはみ出した状態とすることによって、その取り出しを容易にすることができる。なお、分離部１９は、開封部１８をすべて切り離すことによって、包装体１０の本体から完全に分離してもよいし、収納されている吸収性物品の大きさにも依るが、開封部１８の上方側の一部のみを切り離し、包装体１０の本体から垂れ下がるようにして使用してもよい。
【００２８】
開封部１８の縦方向Ｙにおける寸法Ｈ４は約１４０〜１７０ｍｍ、両側縁１８ｃ，１８ｄ間の横方向Ｘにおける寸法Ｗ３は約２０〜４０ｍｍであって、開封部１８の縦方向Ｙにおける寸法Ｈ４は、第２区域４２の縦方向Ｙにおける寸法Ｈ２よりも小さく、第２縁部３７の横方向Ｘにおける寸法Ｌ２よりも小さいものであることが好ましい。したがって、保管時に包装体１０に収納されたおむつ１１の第２区域４２が取り出し口６３から外部にはみ出ることはなく、また、取り出し口６３からおむつ１１を取り出すときに、おむつ１１等の吸収性物品は所要の柔軟性を有することから容易に変形させることができるので、開封部１８の一部が引き裂けるおそれはない。また、上端縁１８ａは第２区域４２の第２縁部３７よりも下方に位置し、下端縁１８ｂは折曲部４６よりも上方に位置している。したがって、第２縁部３７と折曲部４６の一部とが取り出し口６３から外部にはみ出すおそれはない。すなわち、開封部１８の縦方向Ｙにおける寸法Ｈ４は、第２縁部３７の横方向Ｘにおける寸法Ｌ２よりも小さく、たとえ取り出しを容易にするために、取り出し口６３に近いおむつ１１の第１縁部３６を取り出し口６３から外部にはみ出させたとしても、その第２縁部３７が取り出し口６３からはみ出すことはない。よって、複数のおむつ１１が取り出し口６３からはみ出したり、包装体１０を吊持して保管する場合であっても、おむつ１１が不意に包装体１０から落下するおそれはない。なお、本実施形態では、包装袋１０ａの上方に折り畳み部２５が形成されているので、開封時の操作性などを考慮して、開封部１８がそれよりも下方に位置しているが、包装体１０をチューブ状の包装フィルムから形成して折り畳み部２５が天面１６に形成される場合には、上端縁１８ａがさらに上方に位置していてもよい。
【００２９】
また、第１区域４１の第１縁部３６を摘持するときに目印となるように、第１縁部３６に他の領域と異なる色彩、図形や絵柄を施してもよいし、第１縁部３６を形成する上方前後ウエスト弾性体５５Ａ，５６Ａに下方前後ウエスト弾性体５５Ｂ，５６Ｂと異なる色彩を付し、おむつ１１の外面から視認できるようにしてもよい。また、第１縁部３６に施される図形や絵柄としては、例えば、おむつ１１のサイズを表す表記や、意匠的な外観を向上させる装飾模様やキャラクター等を用いることができる。
【００３０】
本発明の実施形態において、包装体１０内には約１０〜２０個のおむつ１１が収納されており、その内圧力（前後方向Ｚに圧縮されたおむつ１１に負荷された力）は、約０．５〜５．０ｋＰａ、好ましくは、約１．０〜４．０ｋＰａである。内圧力が、０．５ｋＰａ以下の場合には、内圧力が低いことから比較的に少数のおむつ１１が包装体１０内に収納されていることを意味し、その場合には、収納効率が低く、そのため内部に空間が形成され易いので、少数のおむつ１１を取り出しただけでおむつ群２０の整列は崩れ、包装体１０の形が崩れ易くなる。一方、５．０ｋＰａ以上の場合には、おむつ群２０による包装体１０の前後面１２，１３に対する圧力は比較的に高くなるので、最初のおむつ１１を包装体１０内から取り出すときに、比較的に強い力で引っ張り出す必要があり、特に比較的に握力の低い高齢者が使用する場合には、上手くおむつ１１を引っ張り出すことができず、無理に引っ張り出そうとすると包装袋１０ａの一部やおむつ１１の一部が破れたりするおそれがある。
【００３１】
＜包装袋内の内圧力の測定方法＞
まず、包装体１０内に収納された状態におけるおむつ１１の最大厚さ寸法（前後方向Ｚにおける長さ寸法の最大値）αｍｍを測定する。次に、包装体１０から複数のおむつ１１を取り出して包装された状態と同様に（第１区域４１側が下方）床面に積み上げて、おむつ１１全体を覆う大きさを有するアクリル板を載せ、さらにその上に所要の重量の錘（ｋｇ）を載せて、積み上げられたおむつ群２０の各おむつ１１の厚さ寸法がα（ｍｍ）となるまで加重する。かかる測定方法において、錘の重量β（ｋｇ）、おむつ１１の縦方向Ｙにおける寸法Ｈ２（ｃｍ），横方向Ｘにおける寸法Ｗ２（ｃｍ）とする場合の内圧力γ（ｋＰａ）は、β（ｋｇ）／Ｌ２×Ｗ２（ｃｍ）の計算式から算出することができる。
【００３２】
なお、おむつ群２０が全体としてかかる内圧力を有することから、包装体１０のシール部２２は、搬送中等において内圧力によってそれが開封しない程度の引張強度を要するところ、本実施形態における包装体１０のシール部２２は、１５．０Ｎ／２５ｍｍ以上の引張（破断）強度を有している。また、手提げ部２４の引張強度もシール部２２のそれとほぼ同等であって、約１．０〜２．０ｋｇの包装体１０（吸収性物品１個の重量は、約９０ｇ）を吊持して保管したとしても、その一部が破断するおそれはない。
【００３３】
また、開封部１８の引張強度は、約５．０〜１５．０Ｎ／２５ｍｍ、好ましくは、８．０〜１２．０Ｎ／２５ｍｍである。５．０Ｎ／２５ｍｍ以下の場合には、包装体１０の搬送中にその一部が切り離されるおそれがあり、１５．０Ｎ／２５ｍｍ以上の場合には、包装体１０からおむつ１１を取り出すときに、開封部１８を切り離し難くなるといえる。
【００３４】
＜開封部の引張強度の測定方法＞
開封部１８の引張強度は、引張試験機（島津製作所製のオートグラフ）を使用して測定する。具体的には、包装体１０から開封部１８を含む幅寸法約２５ｍｍ、長さ寸法１００ｍｍの試験片を切り取り、チャック間距離５０ｍｍ，引張速度１００ｍｍ／ｍｉｎの設定条件で測定し、破断時の伸度（引張強度）の値を求める。
【００３５】
なお、本実施形態において、包装体１０に収納される吸収性物品は、おむつ１１と同様に、単数又は複数の折曲線４３を介して２つ折り又はそれ以上に複数折り曲げることができ、第１及び第２縁部３６，３７と折曲部４６とが形成される限りにおいて、吸収性パッド、トレーニングパンツ及び生理用ナプキン等であってもよい。また、開封部１８は、本実施形態のように細長状ではなく、矩形状、円形状、または、単数若しくは複数のへ延びる直状ラインのみから形成されていてもよい。ただし、吸収性物品がおむつ１１のように、弾性部材を有し、かつ、外面が繊維不織布から形成されている場合には、摘持する部位に皺が形成されて摘み易く、また、外面がプラスチックシートから形成されている場合に比べて滑り難いので、おむつ１１をしっかりと摘んで包装体１０から引っ張り出すことができる。
【００３６】
図７は、包装体１０の他の実施形態における図５と同様の模式的前面図であり、図８（ａ）は、包装体１０の他の実施形態における図５と同様の模式的前面図、図８（ｂ）は、包装体１０の他の実施形態における図５と同様の模式的前面図である。
【００３７】
図７に示すとおり、本実施形態では、開封部１８は、縦方向Ｙへ延び第１縁部３６と交差する第１ライン１８ｅと、第１ライン１８ｅに交差して横方向Ｘへ延びる第２ライン１８ｆとから形成されている。本実施形態の開封部１８によれば、開封時に包装体１０の第１及び第２ライン１８ｅ，１８ｆの近傍を縦方向Ｙと横方向Ｘとに引っ張って第１及び第２ライン１８ｅ，１８ｆを切り離し、第１区域４１の第１縁部３６又は／及びその側部４１ｃを指で摘んでそのまま包装体１０の外に引っ張り出すことができるので、おむつ１１の取り出しがより容易になるといえる。また、開封部１８に囲まれた分離部１９が形成されないことからそれを廃棄する手間を要さず、また、包装体１０の一部が露出した状態で保管されることはないので、内部にゴミが入り込むのを防止することができる。
【００３８】
図８（ａ）に示す実施形態においては、包装体１０内においておむつ１１が横向きに、すなわち、第１区域４１の第１縁部３６がシール部２２と並行して縦方向Ｙに延びており、また、開封部１８が、横方向Ｘに延びる１条のラインから形成されている。かかる態様であっても、開封部１８が第１区域４１の第１縁部３６と交差して第２区域４２の第２縁部３７側まで延びているので、開封時において開封部１８から包装体１０内に指を差し入れたときに第１区域４１の第１縁部３６を摘んで、容易に取り出すことができる。また、図８（ｂ）においては、おむつ１１が横向きに収納されており、かつ、開封部１８が互いに交差する２つのラインから形成されているが、開封部１８を切り離すことによって、第１区域４１の第１縁部３６又は／及びその側部４１ｃを指で摘んでそのまま包装体１０の外に引っ張り出すことができるので、他の実施形態と同様におむつ１１の取り出しが容易であるといえる。
【００３９】
図９（ａ）は、包装体１０の他の実施形態における斜視図、図９（ｂ）は、包装体１０の他の実施形態の一例を示す図である。図９（ａ）（ｂ）においては、折り畳み部２５は省略されており、図９（ｂ）の包装体１０では、シール部２２は側面１４，１５に形成されている。
【００４０】
図９（ａ）では、包装体１０が縦長状であって、その内部においておむつ群２０が縦方向Ｙに重ねられて収納されており、開封部１８が前面１２において各おむつ群２０を形成するおむつ１１の第１区域４１の第１縁部３６と交差して形成されている。また、図９（ｂ）では、包装体１０が横長状であって、おむつ群２０が横方向Ｘにおいて２列形成されており、各おむつ群２０を形成する第１区域４１の第１縁部３６と交差するように開封部１８が形成されている。このように、おむつ群２０を縦方向Ｙ又は／及び横方向Ｘに複数列形成し、かつ、その前面１２及び／または後面１３側に位置するおむつ１１の第１区域４１の第１縁部３６と交差するように開封部１８を形成することによって、本願発明の効果を奏することもできる。
【００４１】
上記のとおり、開封部１８は複数のパータンによって形成することができ、開封部１８が第１区域４１の上端部３６と交差する限りにおいて、直状、曲状、複数の直状又は曲状のラインの組み合わせ等から形成されていてもよい。
【００４２】
図１０（ａ）は、包装体１０の他の実施形態における収納状態のおむつの背面図，図１０（ｂ）は、おむつ１１を包装体１０から取り出すときの包装体１０内の一部を示す図である。
【００４３】
図１０（ａ）に示すとおり、本実施形態のおむつ１１においては、第２区域４２の背面側Ｂには摘持部４５ａと固定部４５ｂとを有する廃棄用テープ４５が取り付けられており、その外面には止着部位８０が形成されている。止着部８０は、図１０（ｂ）のように包装体１０内において前後方向Ｚにおいて隣り合うおむつ１１Ａ，１１Ｂの第１区域４１の外面に止着されており、取り出し口６３からおむつ１１を取り出すときに、取り出されるおむつ１１Ａの第２区域４２とともに、隣り合うおむつ１１Ｂの第１区域４１が引っ張られる。それにより、おむつ１１Ａを取り出した後に、次に取り出されるべきおむつ１１Ｂが取り出し口６３側に移動するので、包装体１０内のおむつ１１の数が少なくなって取り出し口６３とおむつ群２０との離間距離が大きくなりおむつ１１を内部から取り出すことが困難な場合であっても、次のおむつ１１を容易に取り出すことができる。また、取り出し口６３の縦方向Ｙにおける寸法、第１及び第２区域４１，４２の縦方向ＹにおけるＨ２，Ｈ３並びに止着部８０の係止力を所定の大きさに設定することによって、次に取り出されるべきおむつ１１Ｂの第１区域４１の第１端部３６の一部を取り出し口６３からはみ出させることができる。この場合には、はみ出した部位を掴んで引っ張ることによって、おむつ１１Ｂを包装体１０から容易に取り出すことができる。
【００４４】
止着部８０は、おむつ１１の縦方向Ｙにおける寸法Ｈ５が約３〜１５ｍｍ、横方向Ｘにおける寸法Ｗ４が約３〜１５ｍｍであって、比較的に接着強度の弱い接着剤、比較的に粘着度の低い粘着剤、または、おむつ１１の外面が繊維不織布で形成されている場合には、不織布に係止しうるフック部材から形成することもできる。また、止着部８０は、廃棄用テープ４５の摘持部４５ｂではなく、固定部４５ｂの外面に形成されている。止着部８０が摘持部４５ａの外面に形成されている場合には、おむつ１１Ａを勢いよく引っ張り出したときに、隣り合うおむつ１１Ｂの第１区域４１に摘持部４５ｂが止着された状態のまま廃棄用テープ４５が展開されるおそれがあるが、止着部８０が固定部４５ｂの外面に形成されている場合には、かかる不利益を生じるおそれはない。ただし、止着部８０は、第２区域４２の外面に設けられていればよく、例えば、吸収性物品が廃棄用テープ４５を備えていない吸収性パッドである場合には、第２区域４２の外面に直接止着部８０が設けることができる。また、最初に包装体１０から取り出されるおむつ１１以外のおむつ１１Ａについては、第１区域４１の外面に止着部８０が形成されていてもよく、この場合であっても、本実施形態と同様の効果を奏することができる。
【００４５】
図１１（ａ）は、包装体１０の他の実施形態に係るおむつ１１の展開図、図１１（ｂ）は、包装体１０の他の実施形態に係る図５と同様の模式的前面図、図１２は、取り出し口６３からおむつ１１を取り出すときの包装体１０内の一部を示す図である。
【００４６】
本実施形態のおむつ１１は、前後ウエスト域３１，３２の両側縁が予め連結されていないいわゆる開放型（オープンタイプ）の使い捨ておむつであって、後ウエスト域３２の両側部の背側Ｂには一対のサイドパネル９０が取り付けられている。サイドパネル９０には、メカニカルファスナのフック要素から形成された第１ファスニング部９１が設けられており、前ウエスト域３１の両側部の背側Ｂには、フック要素に係止可能なループ要素から形成された第２ファスニング部９２が設けられている。図１１（ｂ）に示すとおり、各おむつ１１は、前ウエスト域３１が前面１２側になるように、３つ折りにされた状態で包装体１０に収納されている。具体的には、おむつ１１は、縦中心線Ｐの方向に延びる一対の折曲線９３に沿って前後ウエスト域３１，３２の両側部が横中心線Ｑの方向の内方へ折り曲げられており、また、後ウエスト域３２が横中心線Ｑの方向へ延びる折曲線９４に沿って内方へ折り曲げられ、さらに、前ウエスト域３１が横中心線Ｑの方向へ延びる折曲線９５によって内方へ折り曲げられた状態で収納されている。
【００４７】
図１１（ｂ）及び図１２に示すとおり、おむつ１１が３つ折りにされた状態で収納されていることによって、前ウエスト域３１を含む領域が第１区域４１，前ウエスト域３１の前端部３１ａが第１縁部３６、クロッチ域３３を含む領域が第２区域４２，後ウエスト域３２の折曲線９４による折曲部が第２縁部３７にそれぞれ相当し、第２縁部３７から前方へ折り返された領域、すなわち、後ウエスト域３３を含む領域によって第３区域９７が画定されている。本実施形態においても、開封部１８が第１区域４１の第１縁部３６と交差し、かつ、その上端縁１８ａが第１縁部３６と第２縁部３７との間に位置しているので、収納された状態において取り出し口６３に近いおむつ１１の第２縁部３７が露出したり、複数のおむつ１１が取り出し口６３から外部にはみ出るおそれはない。なお、第３区域９７は、第２縁部３７に沿って後方へ折り返された領域によって画定されていてもよく、その長さに応じて複数折り返されていてもよい。
【００４８】
＜第２発明＞
図１３は、本願の第２発明における図５と同様の模式的前面図である。第２発明に係る包装体１０の基本的構成は、第１発明の基本的構成と同様であるので、相違する点についてのみ以下に述べる。また、第１発明における各構成要素の説明、各実施形態の態様は第２発明との組み合わせにおいて用いることができるものである。
【００４９】
開封部１８は、縦方向Ｙへ延びる１条のラインから形成されており、第１区域４１の第１縁部３６と並行に延びている。本実施形態においては、開封部１８が第１区域４１の側部４１ｃと交差するように形成されているので、開封時において、開封部１８を切り離して側部４１ｃの一部を摘んで第１縁部３６を外部に引き出し、そのままおむつ１１全体を包装体１０から引っ張り出すことができる。なお、開封部１８は、両側部４１ｃの少なくとも一方とのみ交差する長さを有するものであってもよい。また、開封部１８は、第２区域４２の両側部４２ｃと交差していないことから、開封時に収納されたおむつ１１全体が取り出し口６３から外部にはみ出して整列状態が崩れるおそれはない。なお、かかる効果を奏するためには、開封部１８が第２区域４２の両側部４２ｃのうちの少なくとも一方と交差していなければよい。
【００５０】
本発明の包装体１０を構成する各構成部材には、本明細書に記載されている材料のほかに、この種の物品において通常用いられている各種の公知の材料を制限なく用いることができる、また、本発明の明細書及び特許請求の範囲において、「第１」および「第２」の用語は、同様の要素、位置などを単に区別するために用いられている。
【００５１】
以上に記載した本発明に関する開示は、少なくとも下記事項に要約することができる。
【００５２】
前後方向Ｚを有し、前後方向Ｚにおいて対向する前後面１２，１３を含み、その内部に複数の吸収性物品を収納した包装体１０において、前後面１２，１３のうちの少なくとも前面１２には前記吸収性物品を取り出すための開封部１８が形成されており、吸収性物品は前後方向において整列された状態で収納され、第１縁部３６と第２縁部３７とを有し、少なくとも１つ以上の折曲線４３によって折曲され、前記第１縁部を含む第１区域４１と前記第２縁部を含む第２区域４２とが画定されており、吸収性物品の前記第１区域４１は前記前面側に位置し前記折曲部から前記第２縁部までの離間寸法は前記折曲部から前記第１縁部までの離間寸法よりも大きく、前記開封部は、前記第１縁部と交差し、かつ、その一方端縁１８ａが前記第１縁部と前記第２縁部との間に位置している包装体１０。
【００５４】
上記段落に開示した本発明は、少なくとも下記の実施の形態を含むことができる。
（１）前記第１及び第２ラインは、１条のラインである態様。
（２）前記第２ラインは、前記第１区域の側部と交差する態様。
（３）前記開封部１８は、複数の開孔２７から形成されたミシン目である態様。
（４）前記吸収性物品の前記第１及び第２区域４１，４２の少なくとも一方の外面には、止着部８０が形成されている態様。
（５）前記複数の吸収性物品を整列して形成された吸収性物品群２０を前記縦方向Ｙ及び前記横方向Ｘの少なくとも一方に複数配置する態様。
（６）前記吸収性物品は、使い捨ておむつ１１であって、前記第１区域４１はウエスト域３１,３２から形成され、前記第２区域４２はクロッチ域３３から形成されている態様。
（７）使い捨ておむつ１１の前記第２区域４２の外面には、廃棄用テープ４５が設けられており、前記止着部８０は前記廃棄用テープ４５の一部に設けられている態様。
（８）前記第２縁部３７は、前記折曲線９４によって折曲された折曲部位であって、前記第２縁部３７から前記前方又は前記後方に折り返された第３区域９７をさらに含む態様。
（９）前記吸収性物品は、開放型の使い捨ておむつであって、前記第１区域４１は前ウエスト域３１を含み、前記第２区域４２はクロッチ域３３を含み、前記第３区域９７は後ウエスト域３３を含む態様。
【符号の説明】
【００５５】
１０  包装体
１１  吸収性物品（使い捨てのおむつ）
１２  前面
１３  後面
１８  開封部
１８ａ  開封部の上端縁
１８ｂ  開封部の下端縁
１８ｃ，１８ｄ  開封部の両側縁
１８ｅ  第１ライン
１８ｆ  第２ライン
１９  分離部
２０  おむつ群
２７  開孔
３１  前ウエスト域
３２  後ウエスト域
３３  クロッチ域
４１  第１区域
４２  第２区域
４３  折曲線
４５  廃棄用テープ
４６  折曲部
８０  止着部
９７  第３区域
Ｈ２  折曲部と第２縁部との離間寸法
Ｈ３  折曲部と第１縁部との離間寸法
Ｚ  前後方向
【図１】
0005818593.tif 000002
【図２】
0005818593.tif 000003
【図３】
0005818593.tif 000004
【図４】
0005818593.tif 000005
【図５】
0005818593.tif 000006
【図６】
0005818593.tif 000007
【図７】
0005818593.tif 000008
【図８】
0005818593.tif 000009
【図９】
0005818593.tif 000010
【図１０】
0005818593.tif 000011
【図１１】
0005818593.tif 000012
【図１２】
0005818593.tif 000013
【図１３】
0005818593.tif 000014